(57)【要約】【課題】一つの靴べらであっても、靴を履き、脱ぎ、並べることが容易であると共に、並べた左右の靴に同時に両足を滑り込ませて靴を履くことが可能な靴べらであり、自ら靴を履くことができる者が使用しやすいだけでなく、介護支援者が使用しやすい靴べらを提供することを課題とした。【解決手段】  支点部で連結された一対の竿体の先方に靴べら部を備えさせ、竿体の先方を開くことにより、靴穴に同時に左右の靴べら部を挿し込むことができ、また、竿体の先方を近づけることにより、靴を挟むことができると共に、各々の靴べら部を重ね合わせて一つの靴べら部とすることができるようにした。【選択図】図１
2018094003.tif 000002
【特許請求の範囲】
【請求項１】
足に靴を着用させるための靴べらにおいて、
並んで延びる一対の竿体と一対の靴べら部を含み、
前記一対の竿体は支点部で連結され、
前記一対の靴べら部の各々は、前記竿体の各々の先端に備えられ、
前記各々の先端が、前記支点部を中心に左右に開閉可能とされ、前記先端を開いた開閉面に沿って、各々の靴べら部が左右に並ぶように付設されている、
ことを特徴とする靴べら。
【請求項２】
前記靴べらは、靴挟み部を含み、
前記靴挟み部が、靴穴をなす靴壁部を挟むように、左右に並んだ前記一対の竿体の各々の下部内面側に備えられている、
ことを特徴とする請求項１に記載の靴べら。
【請求項３】
前記各々の靴べら部が、左右に並んだ前記一対の竿体の各々の外面側に備えられている、
ことを特徴とする請求項１又は請求項２に記載の靴べら。
【請求項４】
前記一対の竿体が、前記支点部と前記靴べら部との間の位置に屈曲部を含み、
前記屈曲部が、前記靴べら部の面を前後方向に傾斜させるように屈曲可能とさせている、
ことを特徴とする請求項１乃至請求項３のいずれか一項に記載の靴べら。
【請求項５】
前記一対の竿体を前記開閉面に沿って近づけた状態で、前記一対の靴べら部が重ね合わせ可能とされている、
ことを特徴とする請求項１乃至請求項４のいずれか一項に記載の靴べら。
【請求項６】
前記靴べら部が弾性部を含み、前記弾性部を介して前記竿体に付設され、
前記足と前記靴の間の隙間に沿って、前記靴べら部の面が傾斜可能とされている、
ことを特徴とする請求項１乃至請求項５のいずれか一項に記載の靴べら。
【発明の詳細な説明】
【技術分野】
【０００１】
本発明は、靴を履き、脱ぎ、並べるために使用される靴べらに関する。具体的には、散乱した靴をつまみ上げて並べることができると共に、並べた一対の靴に同時に両足を滑り込ませて、靴を履くことができる、二つの竿体を含んだ靴べらに関する。更に、靴を履く者が要介護者である場合には、介護支援者が靴を履かせやすい靴べらに関する。
【背景技術】
【０００２】
従来、靴を履いた状態で、靴穴と足との間の遊びが少ない大きさの靴が着用されている。靴の型崩れを防ぐために、靴を着用する際には、靴紐をほどいて足を挿し込む靴穴を拡大させるか、又は靴べらを靴穴の踵側に挿し込んで、靴穴に足を滑り込ませるようにして靴が履かれている。
【０００３】
靴は、降雨、降雪等の天候の状況によらず、外出時に使用されている。雨で濡れて汚れた靴は、玄関土間に並べられて乾燥されてから、下駄箱に収納される。しかし、濡れた靴を並べる際には、手が汚れやすいと共に、濡れた土間に降り立つ必要があり、手だけでなく足も汚れる。また、多くの靴が散乱している場合には、一足ずつ靴を並べることも必要であり、手・足を汚さず、散乱した靴を容易に並べることができる技術が必要とされている。
【０００４】
これまでも、二股に分かれた一対の竿体を含んだ靴べらの技術が公知となっている。特許文献１には、足の甲側に設けられたベロが、靴を履く際にずれないようにすることを課題として、前後方向に開閉可能な一対の竿体を含み、前方の竿体がベロを挟んで引き上げる二枚重ねのベロ引上げ部を有し、後方の竿体が靴べら部を有する靴べらの技術が開示されている。
【０００５】
しかし、ベロ引上げ部の下方側の甲導入板の傾斜と、靴べら部の傾斜とは一致していないため、甲導入板と靴べら部で靴を強く狭みにくいと共に、ベロ引上げ部の二枚の間に、ベロを挿し込む手間が煩わしいという課題があった。更に、前方のベロ引上げ部と後方の靴べら部とに挟まれた靴穴の間に、竿体を避けるようにして足を滑り込ませることが困難であり、靴べらとして使いにくいという課題もあった。
【０００６】
一方、高齢化の進行により、要介護者に靴を容易に履かせる技術も求められている。特許文献２には、ハンドルにより前後方向に開閉可能とされた一対の竿体を含み、前方の竿体の先端に、側方に甲の誘導部を設け、後方の竿体の先端にも、誘導部に向かい合うように側方に靴べら部を設けた靴装着用器具の技術が開示されている。足の側方でハンドルを操作できるため、介護支援者の労務疲労度が軽減されるとされている。
【０００７】
この技術によれば、誘導部と靴べら部とが、夫々竿体の側方に突き出して配設されているため、竿体を避けるようにして、誘導部と靴べら部との間に足を滑り込ませることが容易であった。半面、誘導部と靴べらで靴を挟んで揃えようとすると、誘導部と靴べら部とが竿体に対して捻られた状態となるため、ハンドルを強く把持しなければ靴を挟持することができないばかりか、靴を滑らせた場合には靴を傷つけるおそれがあり、この靴装着用器具は靴を並べることには適していなかった。
【０００８】
また、靴を脱ぐ際に、靴の踵が足と一体に上がらないようにする技術も開示されている。特許文献３には、靴を履き、脱ぐ動作の補助具として、前後方向に開閉可能な一対の竿体を含んだ靴べらの技術が開示されている。特許文献３の技術の靴べらは、前方の竿体が靴べらを有し、後方の竿体が靴の後部押え部を有する靴べらとされている。この技術によれば、特に二本の竿体を下方へ押すという簡単な動作で、靴が脱ぎ易くなるとされている。
【０００９】
しかし、この靴べらの後部押え部は、靴の上方から靴の外側の後部を押えるものであるため、靴の柔軟な皮革部に後部押え部を摺らせやすく、靴を傷つけやすいだけでなく、靴を挟むことに適していないため、この補助具によっては靴を並べることは困難であった。
【００１０】
更に、靴を並べることも可能とされている靴べらの技術も開示されている。左右方向に開閉可能な一対の腕部を含んだ靴べらの技術として、特許文献４には、靴を履き、脱ぐ、揃えるを容易にするため、靴に面する左右腕部の先端の平坦面にシリコンゴムを貼着させ、一方の腕部の中間部からは靴べら部を分岐させた靴べらの技術が開示されている。左右腕部の先端の平坦面で靴を挟んで押えることにより、靴を摺り合わせなくても靴を脱ぐことができるとされている。これにより、靴を脱ぐ際に、靴を傷つけにくく、手を汚さず腰に負担をかけることも少ないとされている。
【００１１】
しかし、左右の靴を並べた状態で、片方の靴に靴べらを挿し込む際には、左右の腕部がいずれかの靴にあたり、靴べらとして使うには適していなかった。また、足が挿し込まれていない状態の靴を両側から挟んで持ち上げようとすると、靴穴を潰し、靴を損傷させる可能性があった。一方、片方の靴の靴壁を左右腕部で挟もうとすると、靴べら部が邪魔になるため靴を挟むことも容易ではなかった。
【００１２】
上記のいずれかの特許文献に記載の靴べらは、靴を履く、靴を脱ぐ等のいずれかの態様においては、使いやすいように工夫されたものであった。しかし、玄関土間に、多くの種類の靴べらを備えておくと、靴べら自体も散乱することになる。一つの靴べらであっても、靴を履く、脱ぐ、並べるのいずれもの態様において、使いやすい靴べらが求められている。
【００１３】
一方、靴を履く際に、ベロがずり下がらない靴が増加している半面、高齢化の進行に伴い、靴を履くための腰掛板が玄関土間に設けられている建物が増加している。腰掛板に腰掛けた状態でも使いやすく、要介護者に靴を履かせやすい靴べらの技術が必要とされている。
【先行技術文献】
【特許文献】
【００１４】
【特許文献１】特開２００８−２８９５６６号公報
【特許文献２】特開２００４−８５９９号公報
【特許文献３】実登３１８９２５１号公報
【特許文献４】特開２０１１−１１０２４号公報
【発明の概要】
【発明が解決しようとする課題】
【００１５】
そこで、本願の発明者は、一つの靴べらであっても、靴を履き、脱ぎ、並べることが容易であると共に、並べた左右の靴に同時に両足を滑り込ませて靴を履くことが可能な靴べらを提供することを課題とした。更に、自ら靴を履くことができる者が使用しやすいだけでなく、介護支援者が使用しやすい靴べらを提供することを課題とした。
【課題を解決するための手段】
【００１６】
本発明の第１の発明は、足に靴を着用させるための靴べらにおいて、並んで延びる一対の竿体と一対の靴べら部を含み、前記一対の竿体は支点部で連結され、前記一対の靴べら部の各々は、前記竿体の各々の先端に備えられ、前記各々の先端が、前記支点部を中心に左右に開閉可能とされ、前記先端を開いた開閉面に沿って、各々の靴べら部が左右に並ぶように付設されていることを特徴としている。
【００１７】
竿体の素材、形状は限定されない。例えば、素材は金属、樹脂、竹等の折損しにくい素材であればよく、形状は棒状であってもよく、細幅板体であってもよく限定されない。支点部の形態も限定されない。例えば、支点部は「Ｕ」字形状に屈曲された金属製薄板の「Ｕ」字形状部であってもよく、竿体とは別の部材で連結されていてもよく、その連結の形態も限定されない。支点部を中心に左右に開閉とは、並べた靴のつま先を前方として、左右に開閉させることをいう。
【００１８】
各々の靴べら部は、各々の竿体の外面側に付設されていることが好適であるが、竿体の内面側又は竿体の中心軸上に付設されていてもよく、一方は外面側に一方は内面側に分けて付設されていてもよい。各々の竿体の外面側に靴べら部が付設されていると、靴に靴べら部を挿し込んだ状態で、靴着用者が外側から、内側に位置する一対の竿体を避けるようにして、足を靴穴に挿し込みやすく、靴べらとして利用しやすく好適である。しかし、各々の靴べら部を、各々の竿体の外面側に付設させた場合には、左右の膝の間に靴べらを位置させることを嫌う要介護者に対して使用しにくい。
【００１９】
このような要介護者に対しては、各々の竿体の内面側に各々の靴べらを付設させておけば、左右の足を揃えさせた状態で、揃えた足の外側から、左右の靴穴に各々の靴べら部を挿し・抜きすることが可能である。また、各々の竿体の中心軸上に各々の靴べらを付設させた場合には、靴べら部を左右揺動可能としておけばよい。各々の靴べら部を各々の竿体の外面側と内面側に分けて付設させた場合には、靴に挿し込んだ竿体を、足を避けるようにして、足の一方の側から引き抜くようにすればよい。
【００２０】
第１の発明の靴べらによれば、並べた左右の靴の各々の足穴に、各々の靴べらを挿し込んで、左右の足に同時に靴を履くことができるという従来にない有利な効果を奏する。靴を脱ぐ際にも、左右の各々の靴と踵の間に各々の靴べらを挿し込んでおいて、踵を上げるようにすれば、靴穴から足を抜くことも容易であり、靴の側面を傷つけることもない。また、開いた竿体の先方を閉じるようにして、靴壁を挟んで引き寄せるようにすれば、散乱した靴を並べることが容易である。これにより、一つの靴べらであっても、靴を履き、脱ぎ、並べることが容易であると共に、並べた左右の靴に同時に両足を滑り込ませて靴を履くことが可能となる。
【００２１】
本発明の第２の発明は、第１の発明の靴べらにおいて、前記靴べらは、靴挟み部を含み、前記靴挟み部が、靴穴をなす靴壁部を挟むように、左右に並んだ前記一対の竿体の各々の下部内面側に備えられていることを特徴としている。
【００２２】
靴挟み部は、靴壁に沿うように竿体下部の内面側から垂下された垂下部であってもよく、竿体下部の内面側に付設させた滑り止め樹脂等であってもよい。靴挟み部の形状は、靴を履く、脱ぐ際に支障にならなければよく、限定されない。第２の発明によれば、並んだ竿体下部の各々の内面側に、靴挟み部が備えられていることにより、竿体を閉じて靴を挟む際に、挟んだ靴を滑り落としにくく、靴を持上げることも容易である。
【００２３】
本発明の第３の発明は、第１又は第２の発明の靴べらにおいて、前記各々の靴べら部が、左右に並んだ前記一対の竿体の各々の外面側に備えられていることを特徴としている。第３の発明によれば、左右の靴を並べた状態で、左右の靴穴に靴べら部を挿し込んでおいても、各々の竿体を避けるようにして、各々の竿体の外側から左右の足を靴穴に挿し込みやすくなる。これにより、腰掛けた者が土間に足をつけないでも、腰掛けた状態で左右の靴を履くことが容易になるという従来にない有利な効果を奏する。
【００２４】
本発明の第４の発明は、第１から第３の発明の靴べらにおいて、前記一対の竿体が、前記支点部と前記靴べら部との間の位置に屈曲部を含み、前記屈曲部が、前記靴べら部の面を前後方向に傾斜させるように屈曲可能とさせていることを特徴としている。
【００２５】
屈曲部の位置は、竿体の中間部よりも下方の位置が好適であるが限定されず、靴べら部の近傍であってもよい。屈曲の態様は限定されず、屈曲部の竿体上部と竿体下部とが軸支部により回転可能とされていてもよく、屈曲部に弾性体を含み、湾曲可能とされていてもよい。腰掛けている要介護者に靴を履かせる場合には、介護支援者は、屈曲部の竿体上部を靴べら部の前面側に傾け、屈曲部の竿体下部を立てた状態とすればよい。一方、腰掛けている高齢者自身が靴を履く場合には、屈曲部の竿体上部を靴べら部の背面側に傾け、屈曲部の竿体下部を立てた状態とすればよい。
【００２６】
第４の発明によれば、靴べらを把持している者が、屈曲部の竿体上部を自然に把持した状態で、靴穴に靴べら部を挿し込んで靴を履かせる、又は履くことが容易になるという有利な効果を奏する。
【００２７】
本発明の第５の発明は、第１から第４の発明の靴べらにおいて、前記一対の竿体を前記開閉面に沿って近づけた状態で、前記一対の靴べら部が重ね合わせ可能とされていることを特徴としている。近づけた状態とは、重ね合わせ、交差させた状態を含む。第５の発明によれば、二つの靴べら部を重ね合わせて、一つの靴べらとして使用することが可能となる。これにより、従来の靴べらと同様に、片足ずつ靴を履くように靴べらを使用することができる。
【００２８】
本発明の第６の発明は、第１から第５の靴べらにおいて、前記靴べら部が弾性部を含み、前記弾性部を介して前記竿体に付設され、前記足と前記靴の間の隙間に沿って、前記靴べら部の面が傾斜可能とされていることを特徴としている。第６の発明によれば、靴べら部を靴穴の中に挿し込み、靴を履く状態で、靴と足の間の小さな隙間に沿って、靴べら部が滑るように傾斜されて移動する。これにより、左右の足に同時に靴を履く場合に、靴べら部が足と靴壁との隙間に沿って移動し、靴が履き易くなると共に、靴べら部を引き抜き易く、靴から引き抜いた後には、靴べらは元の形状に復元するという有利な効果を奏する。
【発明の効果】
【００２９】
・第１の発明の靴べらによれば、並べた左右の靴の各々の足穴に、各々の靴べらを挿し込んで、左右の足に同時に靴を履くことができるという従来にない有利な効果を奏する。靴を脱ぐ際にも、左右の各々の靴と踵の間に各々の靴べらを挿し込んでおいて、踵を上げるようにすれば、靴穴から足を抜くことも容易であり、靴の側面を傷つけることもない。また、開いた竿体の先方を閉じるようにして、靴壁を挟んで引き寄せるようにすれば、散乱した靴を並べることが容易である。これにより、一つの靴べらであっても、靴を履き、脱ぎ、並べることが容易であると共に、並べた左右の靴に同時に両足を滑り込ませて靴を履くことが可能となる。
・第２の発明の靴べらによれば、並んだ靴べら部の各々の内面側に、靴挟み部が備えられていることにより、竿体を閉じて靴を挟む際に、挟んだ靴を滑り落としにくく、靴を持上げることも容易である。
・第３の発明の靴べらによれば、腰掛けた者が土間に足をつけないでも、腰掛けた状態で左右の靴を履くことが容易になるという従来にない有利な効果を奏する。
【００３０】
・第４の発明の靴べらによれば、靴べらを把持している者が、屈曲部の竿体上部を自然に把持した状態で、靴穴に靴べら部を挿し込んで靴を履かせる、又は履くことが容易になるという有利な効果を奏する。
・第５の発明の靴べらによれば、二つの靴べら部を重ね合わせて、一つの靴べらとして使用することが可能となり、従来の靴べらと同様に、片足ずつ靴を履くように靴べらを使用することができる。
・第６の発明の靴べらによれば、左右の足に同時に靴を履く場合に、靴べら部が足と靴壁との隙間に沿って移動し、靴が履き易くなると共に、靴べら部を引き抜き易く、靴から引き抜いた後には、靴べらは元の形状に復元するという有利な効果を奏する。
【図面の簡単な説明】
【００３１】
【図１】靴べらの斜視図（実施例１）。
【図２】靴べらの使用態様を説明する斜視図（実施例１）。
【図３】靴べらの使用態様を説明する斜視図（実施例１）。
【図４】靴べらの斜視図（実施例２）。
【図５】靴べらの使用態様を説明する斜視図（実施例２）。
【図６】靴べらの使用態様を説明する斜視図（実施例２）。
【図７】靴べらの斜視図（実施例３）。
【図８】靴べらの使用態様を説明する斜視図（実施例３）。
【図９】靴べらの使用態様を説明する斜視図（実施例３）。
【発明を実施するための形態】
【００３２】
支点部で連結された一対の竿体の先方に靴べら部を備えさせ、竿体の先方を開くことにより、靴穴に同時に左右の靴べら部を挿し込むことができ、また、竿体の先方を近づけることにより、靴を挟むことができると共に、各々の靴べら部を重ね合わせて一つの靴べら部とすることができるようにした。
【実施例１】
【００３３】
実施例１の靴べら１は、金属製の細幅板体を中央部で屈曲させて、細幅板体の端部が先方に延びる一対の竿体としている。更に、一対の竿体の先方部を捻って、各々の竿体の外面側に、左右に並んだ状態の靴べら部を形成させている。図１は靴べらの斜視図を示し、図２、図３は靴べら１の使用態様を説明する斜視図を示している。
【００３４】
図１を参照して、実施例１の靴べらの構成を説明する。細幅板体１０は、その中央部において、小さな円弧状断面をなすように折曲げられ、折曲げ部が靴べらの支点部２０とされている。細幅板体１０は、支点部２０から端部が僅かに開いて伸びる一対の竿体３０をなす形状の靴べら１とされている。細幅板体が開く幅は、足を挿し込む靴穴をなす靴壁の厚さよりも広く、靴を履く者が腰掛けた状態で開く足幅に近い幅が好適である。
【００３５】
靴べら１は、各々の竿体３０，３０をなす細幅板体１０が、長手方向の中央部近傍において、竿体の中心軸に対して反対方向に捻られ、その捻り部１１の先方部の板面が同一面をなすようにされ、全体の形状が略左右対称の形状とされている。捻り部１１において、細幅板体１０を捻る方向は限定されない。左右の細幅板体１０を夫々同一方向に捻れば、靴べら部４０，４０を重ね合わせた状態で、左右の竿体上部３１，３１の間隔を小さくすることができる。また、細幅板体１０を、平坦部において斜めに折って、竿体上部３１と竿体下部３２とが屈曲されると共に、竿体上部３１の面と竿体下部３２の面が捻られた状態としてもよい。
【００３６】
各々の竿体の先方端部には、靴べら部４０，４０が竿体の先方に向けて、外面側に形成されている。靴べら部４０の形状は、先方がやや拡幅され、上面が足の踵の形状に沿うように、ゆるやかに窪んだ湾曲面とされている。靴べら部４０は、竿体下部３２の軸線からやや下方に傾けられて形成されている。
【００３７】
支点部２０から捻り部１１までの竿体上部３１は、軸中心部３３が外方に膨らませられ、剛性が向上されると共に把持しやすくされている。一方、捻り部１１から靴べら部４０までの竿体下部３２は、その先端を開いた開閉面１２に沿った平坦な板体とされ、左右の竿体下部３２，３２を上下に重ね合わせることが容易にされている。左右の竿体下部３２，３２を重ね合わせるには、上面側の靴べら部４１を、やや持ち上げるようにして、下面側の靴べら部４２の上に重ね合わせればよい。竿体下部３２，３２が、平坦な板体とされているため、一対の竿体下部３２，３２を重ね合わせやすい（図２参照）。
【００３８】
各々の竿体下部３２，３２には、内面側の向かい合う位置に、竿体の先方部から垂下された靴挟み部３４，３４が形成されている。靴挟み部３４の大きさは、挟んだ靴がずれにくく、挟んだ靴を滑り落とさない大きさであればよい。実施例１の靴べらでは、高さ方向を約１ｃｍ、長さ方向を約３ｃｍとしている。実施例１の靴べら１では、各々の竿体下部３２の内面側に下方に折り下げて靴挟み部３４，３４を形成させている。
【００３９】
また、左右の靴べら部４０，４０が重なるように左右の竿体下部３２，３２を重ねた際に、上方側となる竿体下部３５には、竿体の先端と捻り部１１との間に、靴べら部を重ね合わせた状態を維持させる重ね合わせ保持片３６が形成されている。実施例１の靴べら１では、重ね合わせ保持片３６は、上方側となる竿体下部３５の内面側の位置に垂下されるように形成されている。重ね合わせ保持片３６は、竿体下部３２，３２が外に開かないように維持できれば、形成される形状・位置は限定されない。
【００４０】
ここで、図２を参照して、左右の靴べら部４０，４０の重ね合わせについて説明する。図２は左右の靴べら部４０，４０を重ね合わせた状態の靴べら１の斜視図を示している。靴を履く者自身が、立った状態で一方の靴穴の中に靴べら部を挿し込んで靴を履く際には、もう一方の足で安定した状態で立っていることが必要であり、靴穴に挿し込む靴べら部が一つである方が好適である。図２では、立った状態で使いやすいように、靴べら部４０，４０が重なった状態となっている靴べら１を斜視図により示している。
【００４１】
左右の靴べら部４０，４０を重ねるには、上面側の靴べら部４１が付設された竿体下部３５を持ち上げるようにし、下方側となる竿体下部３７を押し下げるようにして、二つの竿体下部３５，３７を左右に交差させるようにする。二つの竿体を交差させてから、上側となる竿体下部の内面側に形成されている重ね合わせ保持片３６を、下側となる竿体下部の外面側に引掛けるようにし、重ね合わせた靴べら部４０，４０が開かないようにする。
【００４２】
ここで、図３を参照して、靴べら部４０，４０が、竿体下部の軸線からやや下方に傾けられて形成されている実施例１の靴べら１を使って靴１００を並べる態様について説明する。図３は散らかった状態の靴１００，１００の一方を挟んで並べる状態を示した斜視図である。図３においては、左右の靴１００，１００を破線で示している。
【００４３】
まず、左右に散らかった右側の靴穴１０１の甲側ベラ１０２の下方に、靴べらの右側の靴べら部４０を挿し込む。そして、左右の竿体下部３２，３２を近づけるようにし、左右の靴挟み部３４，３４で右側の靴の左側の靴壁１０３を挟むようにする。左右の靴挟み部３４，３４は、左右の竿体下部３２，３２の内面側に向かい合うように形成されているため、密着した状態で靴壁１０３を挟むことができる。靴壁１０３を軽く挟んだ状態のまま、靴べら部４０の先方を持ち上げるようにすると、靴１０１の踵部分が下がった状態となると共に、靴べら部４０に甲側ベラ１０２が接して、右側の靴べら部４０に右側の靴１００が引っ掛かった状態となる。
【００４４】
右側の靴べら部４０に右側の靴１００を引掛けたまま、左側の靴の隣に右側の靴を移動させてから、靴べら部４０を靴１００から引き抜くようにする。そうすることにより、左右の靴１００，１００は、隣り合った位置に並べられることになる。左右の靴をぴったり並べるには、左右の靴穴１０１の中に靴べら部４０を挿し込んで並べてもよいが、いずれかの靴１００を靴べら部４０で片押して、左右の靴１００，１００がぴったり並んだ状態とすればよい。実施例１の靴べら１によれば、靴壁１０３を強く挟まなくても、靴を落とさないようにして移動させることができるため、靴を傷つけにくい。
【実施例２】
【００４５】
実施例２の靴べら２は、実施例１の靴べらの捻り部の上部に、靴べら部の面を前後方向に傾斜させるように屈曲可能とした屈曲部１３，１３を備えさせている。図４は靴べら２の斜視図を示し、図５は腰掛けた状態で靴を履く態様を示し、図６は立った状態で靴を履く態様を示している。図５（Ａ）図は腰掛けた要介護者２００に、介護支援者３００が靴を履かせている状態を示し、図５（Ｂ）図は腰掛けている高齢者４００自身が靴を履いている状態を示している。
【００４６】
実施例２の靴べら２は、竿体が上方の竿体５０と下方の竿体５３とからなっている。上方の竿体５０の下部において、下方の竿体５３が軸動可能に連結されて、靴べら部４０，４０の面を前後方向に傾斜させる屈曲部１３，１３とされている。捻り部５４，５４が、下方の竿体の中間部に備えられ、下方の竿体の上部の板面が上方の竿体の下部の板面と同一面をなし、下方の竿体の下部の板面のみが竿体の開閉面１２に沿った面とされている構成を除いては、実施例２の靴べら２は、実施例１の靴べら１と同一の構成とされている。
【００４７】
実施例２においては、上方の竿体５０の下部に円形形状の穴５１が形成され、その穴に下方の竿体の一部５２が貫通されかしめられて軸支され、軸動可能な屈曲部１３とされている。屈曲部１３の形体は限定されず、上方の竿体５０と下方の竿体５３がねじで連結されて屈曲部とされてもよい。この屈曲部１３を介して、下方の竿体５３を傾けることにより、その先方に付設された靴べら部４０の面も前後方向に傾斜される。
【００４８】
ここで図５（Ａ）図を参照して、腰掛けている要介護者２００に、介護支援者３００が靴を履かせる状態を説明する。図５（Ａ）図においては、要介護者２００と介護支援者３００を一点鎖線で示している。要介護者２００は、図では省略している腰掛板に腰掛けた状態で靴１００を履くことになる。介護支援者３００は、要介護者２００の足元に左右の靴１００，１００を並べ、ひざの間が僅かに開いた状態に腰掛けた要介護者２００の左右の足のつま先を、左右の靴の靴穴に挿し込む。
【００４９】
次に、介護支援者３００は、自分の側に向けて屈曲させた状態とした上方の竿体５０を把持して、下方の竿体５３を立てた状態とする。そして、要介護者２００のひざの間に立てた下方の竿体５３を位置させ、靴壁１０４と踵２０１との隙間２０２に靴べら部４０を挿し込むようにする。左右の靴べら部４０，４０を挿し込んだ後、要介護者２００が踵を下ろすことを支援し、靴１００の中に踵２０１が入ってから、靴べら部４０を上方に引き抜くようにする。下方の竿体５３を立てた状態としているため、靴壁１０４と踵２０１との隙間２０１が小さくても靴べら４０が引き抜きやすい。なお、靴穴に靴べら部４０を挿し込んでから、要介護者２００の足を靴穴に挿し込んでもよいことは勿論のことである。
【００５０】
図５（Ｂ）図においては、高齢者４００を一点鎖線で示している。図５（Ｂ）図は、腰掛板に腰掛けた高齢者４００が、並べた靴１００の左右の靴穴の中に、先に左右の靴べら部４０，４０を挿し込んでおいてから、靴べら部の前方に位置する靴穴に、下方の竿体５３を避けるようにして足を挿し込んで靴を履く状態を示している。
【００５１】
まず、腰掛けた状態から、前かがみになり、左右の靴穴の位置を確かめて、自分の側に屈曲させた状態とした靴べらの上方の竿体５０を把持して、左右の靴穴に夫々の靴べら部４０，４０を挿し込む。そして、前かがみの状態から体を戻すと靴べら部４０，４０が靴穴の後方に接して、靴穴が大きく開いた状態となる。靴べら部４０，４０で靴１００，１００を下方に押し付けて、靴１００，１００の位置がずれないようにし、下方の竿体５３，５３の外側から竿体を避けるようにして靴穴に足を挿し込み、踵を下ろしてから、靴べら部４０，４０を上方に引き抜く。そうすることにより、足腰が弱り、片足で立って靴を履くことができない高齢者４００であっても、無理に腰を捻った姿勢をしなくても、自分で靴を履くことができるようになる。なお、靴穴に足を挿し込んでから靴べら部４０を挿し込んでもよいことは勿論のことである。
【００５２】
ここで、図６を参照して、立った状態で、左右の靴べら部４０，４０を重ね合わせて、片足ずつ靴１００を履く状態を簡単に説明する。左右の靴べら部４０，４０を重ね合わせる態様は、図２と同様である。左右の靴べら部４０，４０を重ね合わせると靴べら部が厚くなり、靴壁と踵との隙間が小さくなる。しかし、上方の竿体５０を把持したままで、屈曲部１３から下方の竿体５３を立つように傾けることにより（図６矢印参照）、靴べら部の傾斜を靴と踵の間の隙間の傾斜に近づけることができるので、靴べら部４０を挿し込んだままで足を挿し込むことが容易になる。靴べら４０を引き抜く場合にも、靴壁と踵との隙間の傾斜に靴べらの傾斜を一致させるように傾ければ、靴べらを引き抜くことが容易である。なお、靴穴に足を挿し込んでから、靴べら部４０を挿し込んでもよいことは勿論のことである。
【実施例３】
【００５３】
実施例３では屈曲部が、螺旋ばね６０と弾性樹脂体６１の２つとされ、靴べら部４０，４０が弾性樹脂体６１を介して竿体６２に付設された靴べら３を、図７を参照して説明する。図７（Ａ）は、実施例３の靴べら３を斜視図により示す説明図である。図７（Ｂ）図は、図７（Ａ）図のＡ−Ａ位置の断面端面図を示している。靴べらの竿体６２は、上方部が金属製の細幅板体６３とされ、下方部が丸パイプとされ、上方部と下方部とは螺旋ばね６０を介して一体の竿体６２をなしている。靴べら部４０は、下方部の外面側に弾性樹脂体６１を介して付設されている。
【００５４】
竿体の上方部は、金属製の細幅板体の中央部を屈曲させて円断面形状の支点部２０とし、細幅板体の端部が先方に僅かに開いて延びる一対の竿体６２，６２としている。細幅板体の端部は窄められて、螺旋ばね６０，６０に内接するように挿し込まれている。竿体の下方部をなす丸パイプも、螺旋ばね６０，６０に内接するように挿し込まれ、螺旋ばねを介して、上方部と下方部が一体の竿体をなしている。竿体の上方部と下方部とを一体にさせる螺旋ばね６０は第１の屈曲部とされ、靴べら部の面を前後方向に傾斜させるように屈曲させる。
【００５５】
左右の靴べら部４０，４０は、竿体の下方部をなす丸パイプの外面側に、左右に並ぶように弾性樹脂体６１，６１により付設されている。弾性樹脂体６１は、弾力性を有すると共に、変形後に元の形状に復元する性質を有するシリコン樹脂又は熱可塑性ポリウレタン樹脂等からなっている。弾性樹脂体６１は、丸パイプを貫挿させる竿体管状部６５と、靴べら部基部４３を貫挿させる靴べら管状部６６が並んだ状態とされ、竿体管状部と靴べら管状部の２つの管状部が平坦連結部６７により連結されて形成されている。なお、靴べら部４０，４０の形状は実施例１と同様であるため、説明を省略している。
【００５６】
一対の竿体管状部６５，６５が向かい合う弾性樹脂体６１，６１の内面側は平坦な面とされ、靴挟み部６８，６８（図７（Ｂ）図参照）とされている。靴挟み部６８，６８が弾性樹脂体からなっているため、挟んだ靴を滑り落としにくく、且つ靴を傷つけにくい。靴べら部４０，４０が丸パイプに屈曲可能に付設され、弾性樹脂体６１，６１が第２の屈曲部とされている。図では省略しているが、螺旋ばね６０と丸パイプ、螺旋ばね６０と細幅板体の端部６９、丸パイプと竿体管状部６５、靴べら基部４３と靴べら管状部６６との間には、抜け止めを形成させておくとよい。
【００５７】
ここで、実施例３の靴べら３を使用して靴を履く態様を、図８、図９を参照して説明する。腰掛けた状態の要介護者２００（図５（Ａ）図参照）に靴１００を履かせる場合、又は腰掛けた高齢者自身４００（図５（Ｂ）図参照）が靴１００を履く場合の動作については、竿体の下方部を手で支えて屈曲させる点を除けば、実施例２の靴べら２と同様である。図８（Ａ）図は、立った状態で、実施例３の靴べら３を使って靴を履く状態を示し、図８（Ｂ）図は靴べら部４０を引き抜く状態を示している。図９は、靴べら部３を引き抜く際に、靴壁と踵との隙間に沿って踵からくるぶし側に、靴べら部４０が移動している状態を示している。
【００５８】
実施例３の靴べら３は、竿体の中間部に螺旋ばね６０を含んでいるため、竿体の下方部をどの方向にも屈曲させることが容易である。立った状態で靴べら３を使うには、左右のいずれかの靴べら部４０よりも上方の竿体の下方部を、後方に反らすように（図８（Ａ）図破線参照）把持して、片足ずつ靴を履くようにすればよい。靴穴から足を引き抜く際には、靴べらを上方に引き抜く（図８（Ｂ）図矢印参照）ようにすれば、平坦連結部６７が、靴と踵との隙間に沿うように靴べら部４０を傾斜させるため、引き抜くことが容易である。
【００５９】
また、介護支援者３００が要介護者２００の左右の靴１００，１００から各々の靴べら部４０，４０を引き抜く場合には、要介護者２００の靴壁と踵との隙間に沿って、靴べら部を上方に移動させると共に、介護支援者の側に引き寄せるようにして引き抜くことになる。実施例３の靴べらによれば、左右の靴べら部が要介護者の内側のくるぶしに近寄るように（図９Ａ矢印参照）移動した状態で、靴壁と足との隙間に沿って上に引き抜かれる（図９Ｂ矢印参照）ことになるため、靴べら部４０を引き抜くことがより容易となる。
【００６０】
（その他）
・今回開示された実施の形態はすべての点で例示であって、制限的なものではないと考えられるべきである。本発明の技術的範囲は、上記した説明に限られず特許請求の範囲によって示され、特許請求の範囲と均等の意味および範囲内でのすべての変更が含まれることが意図される。
・第３の実施例で、螺旋ばねと弾性樹脂体の２つの屈曲部を含んだ靴べらを示したが、屈曲部の数・位置・形態も限定されないことは勿論のことである。
【符号の説明】
【００６１】
１，２，３…靴べら、
１０…細幅板体、２０…支点部、３０…竿体、４０…靴べら部、
１１…捻り部、１２…開閉面、１３…屈曲部、
３１…竿体上部、３２…竿体下部、３３…軸中心部、３４…靴挟み部、
３５…上方側となる竿体下部、３６…重ね合わせ保持片、３７…下方側となる竿体下部、
４１…上面側の靴べら部、４２…下面側の靴べら部、４３…靴べら基部、
５０…上方の竿体、５１…穴、５２…下方の竿体の一部、５３…下方の竿体、５４…捻り部、
６０…螺旋ばね、６１…弾性樹脂体、６２…竿体、６３…細幅板体、
６５…竿体管状部、６６…靴べら管状部、６７…平坦連結部、
６８…靴挟み部、６９…細幅板体の端部、
１００…靴、１０１…靴穴、１０２…甲側ベラ、１０３…靴壁、１０４…靴壁、
２００…要介護者、２０１…踵、２０２…隙間、
３００…介護支援者、４００…高齢者
【図１】
2018094003.tif 000003
【図２】
2018094003.tif 000004
【図３】
2018094003.tif 000005
【図４】
2018094003.tif 000006
【図５】
2018094003.tif 000007
【図６】
2018094003.tif 000008
【図７】
2018094003.tif 000009
【図８】
2018094003.tif 000010
【図９】
2018094003.tif 000011
【手続補正書】
【提出日】平成29年3月24日(2017.3.24)
【手続補正１】
【補正対象書類名】特許請求の範囲
【補正対象項目名】全文
【補正方法】変更
【補正の内容】
【特許請求の範囲】
【請求項１】
足に靴を着用させるための靴べらにおいて、
並んで延びる一対の竿体と一対の靴べら部を含み、
前記一対の竿体は支点部で連結され、
前記一対の靴べら部の各々は、前記竿体の各々の先端に備えられ、
前記各々の先端が、前記支点部を中心に左右に開閉可能とされ、前記先端を開いた開閉面に沿って、各々の靴べら部の踵に接する面が左右に並ぶように付設され、
左右に並べた一対の靴の靴穴に、各々の左右の靴べら部を挿しこむことが可能とされている、
ことを特徴とする靴べら。
【請求項２】
前記靴べらは、靴挟み部を含み、
前記靴挟み部が、靴穴をなす靴壁部を挟むように、左右に並んだ前記一対の竿体の各々の下部内面側に備えられている、
ことを特徴とする請求項１に記載の靴べら。
【請求項３】
前記各々の靴べら部が、左右に並んだ各々の前記竿体の軸線上から外方に突出して備えられ、
靴に前記靴べら部を挿し込んだ状態で、靴着用者が外側から、内側に位置する前記一対の竿体を避けるようにして、足を靴穴に挿し込み容易とされている、
ことを特徴とする請求項１又は請求項２に記載の靴べら。
【請求項４】
前記一対の竿体が、前記支点部と前記靴べら部との間の位置に屈曲部を含み、
前記屈曲部が、前記靴べら部の面を前後方向に傾斜させるように屈曲可能とさせている、
ことを特徴とする請求項１乃至請求項３のいずれか一項に記載の靴べら。
【請求項５】
前記一対の竿体を前記開閉面に沿って近づけた状態で、前記一対の靴べら部が重ね合わせ可能とされている、
ことを特徴とする請求項１乃至請求項４のいずれか一項に記載の靴べら。
【請求項６】
前記靴べら部が弾性部を含み、前記弾性部を介して前記竿体に付設され、
前記足と前記靴の間の隙間に沿って、前記靴べら部の面が傾斜可能とされている、
ことを特徴とする請求項１乃至請求項５のいずれか一項に記載の靴べら。
【手続補正２】
【補正対象書類名】明細書
【補正対象項目名】００１６
【補正方法】変更
【補正の内容】
【００１６】
本発明の第１の発明は、足に靴を着用させるための靴べらにおいて、並んで延びる一対の竿体と一対の靴べら部を含み、前記一対の竿体は支点部で連結され、前記一対の靴べら部の各々は、前記竿体の各々の先端に備えられ、前記各々の先端が、前記支点部を中心に左右に開閉可能とされ、前記先端を開いた開閉面に沿って、各々の靴べら部の踵に接する面が左右に並ぶように付設され、左右に並べた一対の靴の靴穴に、各々の左右の靴べら部を挿しこむことが可能とされていることを特徴としている。
【手続補正３】
【補正対象書類名】明細書
【補正対象項目名】００２３
【補正方法】変更
【補正の内容】
【００２３】
本発明の第３の発明は、第１又は第２の発明の靴べらにおいて、前記各々の靴べら部が、左右に並んだ各々の前記竿体の軸線上から外方に突出して備えられ、靴に前記靴べら部を挿し込んだ状態で、靴着用者が外側から、内側に位置する前記一対の竿体を避けるようにして、足を靴穴に挿し込み容易とされていることを特徴としている。第３の発明によれば、左右の靴を並べた状態で、左右の靴穴に靴べら部を挿し込んでおいても、各々の竿体を避けるようにして、各々の竿体の外側から左右の足を靴穴に挿し込みやすくなる。これにより、腰掛けた者が土間に足をつけないでも、腰掛けた状態で左右の靴を履くことが容易になるという従来にない有利な効果を奏する。